(57)【特許請求の範囲】
【請求項１】
複数のレンズ群と、開口絞りを有するズームレンズであって、
前記複数のレンズ群は、物体側から像側に順に配置された、
正の屈折力を有する第１レンズ群と、
負の屈折力を有する第２レンズ群と、
正の屈折力を有する第３レンズ群と、
複数のレンズ群を含む中間群と、
負の屈折力を有する最終レンズ群と、
から成り、
ズーミングに際して隣り合うレンズ群の間隔は変化し、
前記中間群は負の屈折力を有する負レンズ群を有し、
前記負レンズ群の物体側に隣接して配置されたレンズ群は、正の屈折力を有し、
広角端から望遠端へのズーミングに際して前記負レンズ群と前記最終レンズ群は共に物体側へ移動し、
前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗ、前記第１レンズ群の最も像側のレンズ面と前記第２レンズ群の最も物体側のレンズ面との光軸上の間隔の広角端と望遠端での差をΔＤ１、前記第２レンズ群の最も像側のレンズ面と前記第３レンズ群の最も物体側のレンズ面との光軸上の間隔の広角端と望遠端での差をΔＤ２、前記負レンズ群の物体側に隣接して配置されたレンズ群の焦点距離をｆＬＰ、前記第１レンズ群の焦点距離をｆ１とするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
−０．３１＜ΔＤ２／ΔＤ１＜−０．０１
０．２２＜ｆＬＰ／ｆ１＜０．７０
なる条件を満足することを特徴とするズームレンズ。
【請求項２】
広角端における前記ズームレンズのバックフォーカスをＳＫｗ、広角端における前記ズームレンズの焦点距離をｆｗとするとき、
０．０５＜ＳＫｗ／ｆｗ＜０．５０
なる条件式を満足することを特徴とする請求項１に記載のズームレンズ。
【請求項３】
広角端における前記ズームレンズのバックフォーカスをＳＫｗ、望遠端における前記ズームレンズのバックフォーカスをＳＫｔとするとき、
０．０５＜ＳＫｗ／ＳＫｔ＜０．６０
なる条件式を満足することを特徴とする請求項１または２に記載のズームレンズ。
【請求項４】
広角端における前記ズームレンズの光学全長をＬＤｗ、広角端における前記ズームレンズの焦点距離をｆｗとするとき、
１．０＜ＬＤｗ／ｆｗ＜３．５
なる条件式を満足することを特徴とする請求項１乃至３のいずれか一項に記載のズームレンズ。
【請求項５】
前記最終レンズ群の焦点距離をｆＬＲとするとき、
０．０５＜ｆＬＮ／ｆＬＲ＜１．５０
なる条件式を満足することを特徴とする請求項１乃至４のいずれか一項に記載のズームレンズ。
【請求項６】
無限遠合焦時における広角端から望遠端までのズーミングに伴う前記第１レンズ群の移動量をＭＬ１とするとき、
０＜｜ＭＬ３／ＭＬ１｜＜０．５０
なる条件式を満足することを特徴とする請求項１乃至５のいずれか一項に記載のズームレンズ。
【請求項７】
望遠端における前記負レンズ群の横倍率をｔβＬＮ、広角端における前記負レンズ群の横倍率をｗβＬＮ、広角端における前記ズームレンズの焦点距離をｆｗ、望遠端における前記ズームレンズの焦点距離をｆｔとするとき、
０．１５＜（ｔβＬＮ／ｗβＬＮ）／（ｆｔ／ｆｗ）＜０．７０
なる条件式を満足することを特徴とする請求項１乃至６のいずれか一項に記載のズームレンズ。
【請求項８】
前記第１レンズ群に含まれる正レンズのｄ線に対するアッベ数の平均値をνｄ１Ｐａｖｅとするとき、
６５．００＜νｄ１Ｐａｖｅ＜９９．００
なる条件式を満足することを特徴とする請求項１乃至７のいずれか一項に記載のズームレンズ。
【請求項９】
前記第１レンズ群は、広角端から望遠端へのズーミングに際して物体側へ移動することを特徴とする請求項１乃至８のいずれか一項に記載のズームレンズ。
【請求項１０】
前記負レンズ群と前記最終レンズ群は共に３枚以下のレンズで構成されていることを特徴とする請求項１乃至９のいずれか一項に記載のズームレンズ。
【請求項１１】
前記開口絞りは、前記中間群に含まれるレンズのうち最も物体側に配置されたレンズよりも物体側に配置されていることを特徴とする請求項１乃至１０のいずれか一項に記載のズームレンズ。
【請求項１２】
前記負レンズ群は、無限遠から近距離へのフォーカシングに際して像側へ移動することを特徴とする請求項１乃至１１のいずれか一項に記載のズームレンズ。
【請求項１３】
前記第２レンズ群はズーミングに際して不動であることを特徴とする請求項１乃至１２のいずれか一項に記載のズームレンズ。
【請求項１４】
前記第２レンズ群は、像ぶれ補正に際して光軸に垂直な方向の成分を含む方向に移動することを特徴とする請求項１乃至１３のいずれか一項に記載のズームレンズ。
【請求項１５】
前記中間群は、物体側から像側へ順に配置された、負の屈折力の第４レンズ群、正の屈折力の第５レンズ群、負の屈折力の第６レンズ群から構成され、
前記負レンズ群は前記第６レンズ群であることを特徴とする請求項１乃至１４のいずれか一項に記載のズームレンズ。
【請求項１６】
前記中間群は、物体側から像側へ順に配置された、負の屈折力の第４レンズ群、正の屈折力の第５レンズ群、負の屈折力の第６レンズ群、正の屈折力の第７レンズ群から構成され、
前記負レンズ群は前記第６レンズ群であることを特徴とする請求項１乃至１４のいずれか一項に記載のズームレンズ。
【請求項１７】
前記中間群は、物体側から像側へ順に配置された、負の屈折力の第４レンズ群、正の屈折力の第５レンズ群から構成され、
前記負レンズ群は前記第４レンズ群であることを特徴とする請求項１乃至１４のいずれか一項に記載のズームレンズ。
【請求項１８】
前記中間群は、物体側から像側へ順に配置された、正の屈折力の第４レンズ群、負の屈折力の第５レンズ群から構成され、
前記負レンズ群は前記第５レンズ群であることを特徴とする請求項１乃至１４のいずれか一項に記載のズームレンズ。
【請求項１９】
前記中間群は、物体側から像側へ順に配置された、正の屈折力の第４レンズ群、負の屈折力の第５レンズ群、正の屈折力の第６レンズ群から構成され、
前記負レンズ群は前記第５レンズ群であることを特徴とする請求項１乃至１４のいずれか一項に記載のズームレンズ。
【請求項２０】
０．３０＜ｆＬＮ／ｆ２＜１．１７
なる条件式を満足することを特徴とする請求項１乃至１９のいずれか一項に記載のズームレンズ。
【請求項２１】
０．２６＜ＭＬ３／ＭＬＮ＜０．６９
なる条件式を満足することを特徴とする請求項１乃至２０のいずれか一項に記載のズームレンズ。
【請求項２２】
０．５０＜ＤＳＰｗ／ＴＤｗ＜０．９０
なる条件式を満足することを特徴とする請求項１乃至２１のいずれか一項に記載のズームレンズ。
【請求項２３】
複数のレンズ群と、開口絞りを有するズームレンズであって、
前記複数のレンズ群は、物体側から像側に順に配置された、
正の屈折力を有する第１レンズ群と、
負の屈折力を有する第２レンズ群と、
正の屈折力を有する第３レンズ群と、
複数のレンズ群を含む中間群と、
負の屈折力を有する最終レンズ群と、
から成り、
ズーミングに際して隣り合うレンズ群の間隔は変化し、
前記中間群は、物体側から像側へ順に配置された、負の屈折力の第４レンズ群、正の屈折力の第５レンズ群、負の屈折力の負レンズ群としての第６レンズ群から構成され、
広角端から望遠端へのズーミングに際して前記負レンズ群と前記最終レンズ群は共に物体側へ移動し、
前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とするズームレンズ。
【請求項２４】
複数のレンズ群と、開口絞りを有するズームレンズであって、
前記複数のレンズ群は、物体側から像側に順に配置された、
正の屈折力を有する第１レンズ群と、
負の屈折力を有する第２レンズ群と、
正の屈折力を有する第３レンズ群と、
複数のレンズ群を含む中間群と、
負の屈折力を有する最終レンズ群と、
から成り、
ズーミングに際して隣り合うレンズ群の間隔は変化し、
前記中間群は、物体側から像側へ順に配置された、負の屈折力の負レンズ群としての第４レンズ群、正の屈折力の第５レンズ群から構成され、
広角端から望遠端へのズーミングに際して前記負レンズ群と前記最終レンズ群は共に物体側へ移動し、
前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とするズームレンズ。
【請求項２５】
複数のレンズ群と、開口絞りを有するズームレンズであって、
前記複数のレンズ群は、物体側から像側に順に配置された、
正の屈折力を有する第１レンズ群と、
負の屈折力を有する第２レンズ群と、
正の屈折力を有する第３レンズ群と、
複数のレンズ群を含む中間群と、
負の屈折力を有する最終レンズ群と、
から成り、
ズーミングに際して隣り合うレンズ群の間隔は変化し、
前記中間群は、物体側から像側へ順に配置された、正の屈折力の第４レンズ群、負の屈折力の負レンズ群としての第５レンズ群から構成され、
広角端から望遠端へのズーミングに際して前記負レンズ群と前記最終レンズ群は共に物体側へ移動し、
前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とするズームレンズ。
【請求項２６】
複数のレンズ群と、開口絞りを有するズームレンズであって、
前記複数のレンズ群は、物体側から像側に順に配置された、
正の屈折力を有する第１レンズ群と、
負の屈折力を有する第２レンズ群と、
正の屈折力を有する第３レンズ群と、
複数のレンズ群を含む中間群と、
負の屈折力を有する最終レンズ群と、
から成り、
ズーミングに際して隣り合うレンズ群の間隔は変化し、
前記中間群は、物体側から像側へ順に配置された、正の屈折力の第４レンズ群、負の屈折力の負レンズ群としての第５レンズ群、正の屈折力の第６レンズ群から構成され、
広角端から望遠端へのズーミングに際して前記負レンズ群と前記最終レンズ群は共に物体側へ移動し、
前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とするズームレンズ。
【請求項２７】
請求項１乃至２６のいずれか一項に記載のズームレンズと、前記ズームレンズによって形成される光学像を撮像する撮像素子と、を有することを特徴とする撮像装置。
【発明の詳細な説明】
【技術分野】
【０００１】
本発明は、ズームレンズに関し、デジタルビデオカメラ、デジタルスチルカメラ、放送用カメラ、銀塩フィルム用カメラ、監視用カメラ等に好適なものである。
【背景技術】
【０００２】
近年、撮像装置に用いられるズームレンズは、レンズ全長が小型でありながら広いズーム範囲で高い光学性能を有することが求められている。
【０００３】
これらの要求に応えるズームレンズとして、最も物体側に正の屈折力を有する所謂ポジティブリード型のズームレンズが知られている（特許文献１）。
【０００４】
特許文献１には、物体側より像側へ順に屈折力が正、負、正、負、正、負となるようにレンズ群が配置されたポジティブリード型のズームレンズが開示されている。
【先行技術文献】
【特許文献】
【０００５】
【特許文献１】特開２０１８−１１６２１０号公報
【発明の概要】
【発明が解決しようとする課題】
【０００６】
一般に、ポジティブリード型のズームレンズは全系の小型に構成しつつ高い変倍比を得るのに適している。さらに、ポジティブリード型のズームレンズにおいて比較的像面に近い位置に負の屈折力を有するレンズ群を複数配置することで、所謂テレフォト型のパワー配置とすることができ、小型化により有利となる。
【０００７】
一方、像面側に負の屈折力を有するレンズ群を複数配置すると、球面収差や軸上色収差の補正が困難となる場合があった。
【０００８】
また、負レンズ群が多くなることでペッツバール和がマイナスの値に大きくなる傾向があり、像面湾曲を良好に補正するのが困難であった。
【０００９】
引用文献１に開示されたズームレンズはこれらの観点で十分とは言えず、パワー配置や変倍時の各レンズ群の移動量としてより良い構成を見出すことが求められる。
【００１０】
本発明は、小型かつ良好な光学特性を有するズームレンズを提供することを目的とする。
【課題を解決するための手段】
【００１１】
本発明のズームレンズは、複数のレンズ群と、開口絞りを有するズームレンズであって、前記複数のレンズ群は、物体側から像側に順に配置された、正の屈折力を有する第１レンズ群と、負の屈折力を有する第２レンズ群と、正の屈折力を有する第３レンズ群と、複数のレンズ群を含む中間群と、負の屈折力を有する最終レンズ群と、から成り、ズーミングに際して隣り合うレンズ群の間隔は変化し、前記中間群は負の屈折力を有する負レンズ群を有し、前記負レンズ群の物体側に隣接して配置されたレンズ群は、正の屈折力を有し、
広角端から望遠端へのズーミングに際して前記負レンズ群と前記最終レンズ群は共に物体側へ移動し、前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗ、前記第１レンズ群の最も像側のレンズ面と前記第２レンズ群の最も物体側のレンズ面との光軸上の間隔の広角端と望遠端での差をΔＤ１、前記第２レンズ群の最も像側のレンズ面と前記第３レンズ群の最も物体側のレンズ面との光軸上の間隔の広角端と望遠端での差をΔＤ２、前記負レンズ群の物体側に隣接して配置されたレンズ群の焦点距離をｆＬＰ、前記第１レンズ群の焦点距離をｆ１とするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
−０．３１＜ΔＤ２／ΔＤ１＜−０．０１
０．２２＜ｆＬＰ／ｆ１＜０．７０
なる条件を満足することを特徴とする。
本発明の他のズームレンズは、複数のレンズ群と、開口絞りを有するズームレンズであって、前記複数のレンズ群は、物体側から像側に順に配置された、正の屈折力を有する第１レンズ群と、負の屈折力を有する第２レンズ群と、正の屈折力を有する第３レンズ群と、複数のレンズ群を含む中間群と、負の屈折力を有する最終レンズ群と、から成り、ズーミングに際して隣り合うレンズ群の間隔は変化し、前記中間群は、物体側から像側へ順に配置された、負の屈折力の第４レンズ群、正の屈折力の第５レンズ群、負の屈折力の負レンズ群としての第６レンズ群から構成され、広角端から望遠端へのズーミングに際して前記負レンズ群と前記最終レンズ群は共に物体側へ移動し、前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とする。
本発明の他のズームレンズは、複数のレンズ群と、開口絞りを有するズームレンズであって、前記複数のレンズ群は、物体側から像側に順に配置された、正の屈折力を有する第１レンズ群と、負の屈折力を有する第２レンズ群と、正の屈折力を有する第３レンズ群と、複数のレンズ群を含む中間群と、負の屈折力を有する最終レンズ群と、から成り、ズーミングに際して隣り合うレンズ群の間隔は変化し、前記中間群は、物体側から像側へ順に配置された、負の屈折力の負レンズ群としての第４レンズ群、正の屈折力の第５レンズ群から構成され、広角端から望遠端へのズーミングに際して前記負レンズ群と前記最終レンズ群は共に物体側へ移動し、前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とする。
本発明の他のズームレンズは、複数のレンズ群と、開口絞りを有するズームレンズであって、前記複数のレンズ群は、物体側から像側に順に配置された、正の屈折力を有する第１レンズ群と、負の屈折力を有する第２レンズ群と、正の屈折力を有する第３レンズ群と、複数のレンズ群を含む中間群と、負の屈折力を有する最終レンズ群と、から成り、ズーミングに際して隣り合うレンズ群の間隔は変化し、前記中間群は、物体側から像側へ順に配置された、正の屈折力の第４レンズ群、負の屈折力の負レンズ群としての第５レンズ群から構成され、広角端から望遠端へのズーミングに際して前記負レンズ群と前記最終レンズ群は共に物体側へ移動し、前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とする。
本発明の他のズームレンズは、複数のレンズ群と、開口絞りを有するズームレンズであって、前記複数のレンズ群は、物体側から像側に順に配置された、正の屈折力を有する第１レンズ群と、負の屈折力を有する第２レンズ群と、正の屈折力を有する第３レンズ群と、複数のレンズ群を含む中間群と、負の屈折力を有する最終レンズ群と、から成り、ズーミングに際して隣り合うレンズ群の間隔は変化し、前記中間群は、物体側から像側へ順に配置された、正の屈折力の第４レンズ群、負の屈折力の負レンズ群としての第５レンズ群、正の屈折力の第６レンズ群から構成され、広角端から望遠端へのズーミングに際して前記負レンズ群と前記最終レンズ群は共に物体側へ移動し、前記負レンズ群の焦点距離をｆＬＮ、前記第２レンズ群の焦点距離をｆ２、無限遠合焦時における広角端から望遠端までのズーミングに伴う前記第３レンズ群の移動量をＭＬ３、無限遠合焦時における広角端から望遠端までのズーミングに伴う前記負レンズ群の移動量をＭＬＮ、広角端における前記開口絞りから前記ズームレンズの最も像側のレンズ面までの光軸上での距離をＤＳＰｗ、広角端における前記ズームレンズの最も物体側のレンズ面から前記ズームレンズの最も像側のレンズ面までの光軸上での距離をＴＤｗとするとき、
０．１０＜ｆＬＮ／ｆ２＜１．２０
０．２５＜ＭＬ３／ＭＬＮ＜０．７０
０．４５＜ＤＳＰｗ／ＴＤｗ＜０．９５
なる条件を満足することを特徴とする。
【発明の効果】
【００１２】
本発明によれば、小型かつ良好な光学特性を有するズームレンズを実現できる。
【図面の簡単な説明】
【００１３】
【図１】実施例１のズームレンズの断面図である。
【図２】実施例１のズームレンズの収差図である。
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】実施例６のズームレンズの断面図である。
【図１２】実施例６のズームレンズの収差図である。
【図１３】撮像装置の概略図である。
【発明を実施するための形態】
【００１４】
以下、本発明のズームレンズ及びそれを有する撮像装置の実施例について、添付の図面に基づいて説明する。
【００１５】
図１，３，５，７，９，１１は本発明の実施例１乃至６のズームレンズの広角端かつ無限遠合焦時におけるレンズ断面図である。図２，４，６，８，１０，１２は実施例１乃至６のズームレンズの収差図である。各実施例のズームレンズはデジタルビデオカメラ、デジタルスチルカメラ、放送用カメラ、銀塩フィルム用カメラ、監視用カメラ等の撮像装置に用いることができる。
【００１６】
各断面図において、左側が物体側で、右側が像側である。各実施例のズームレンズは、複数のレンズ群により構成されている。各実施例において、レンズ群とは、ズーミングに際して一体的に移動又は静止するレンズのまとまりである。すなわち、各実施例のズームレンズにおいて、広角端から望遠端へのズームレンズに際して隣り合うレンズ群間の間隔が変化する。広角端および望遠端とは、ズーミングに際して移動するレンズ群が、機構上、光軸方向に移動可能な範囲の両端に位置したときのズーム状態である。なお、レンズ群は１枚のレンズにより構成されていてもよいし、複数枚のレンズにより構成されていてもよい。また、開口絞りはレンズ群に含まれていても良いし、レンズ群とは別体であっても良い。
【００１７】
各レンズ断面図において、レンズ群を物体側から数えたときの順番をｉとして、Ｌｉは第ｉレンズ群を示している。ＳＰは開口絞りである。ＦＰはフレアーカット絞りであり、不要光をカットする。ＩＰは像面である。各実施例のズームレンズＬ０をデジタルビデオカメラやデジタルスチルカメラ用の撮像光学系として用いる際には像面ＩＰにＣＣＤセンサやＣＭＯＳセンサ等の固体撮像素子（光電変換素子）の撮像面が配置される。各実施例のズームレンズＬ０を銀塩フィルム用カメラ用の撮像光学系として用いる際には像面ＩＰにはフィルムの感光面が配置される。
【００１８】
各実施例のズームレンズＬ０では、広角端から望遠端へのズーミングに際して、各レンズ断面図に矢印（実線）で示すように各レンズ群が移動する。また、無限遠から近距離へのフォーカシングに際して矢印（点線）で示すように各レンズ群が移動する。
【００１９】
図２，４，６，８，１０，１２は、それぞれ実施例１乃至６のズームレンズＬ０の収差図である。各収差図において、（Ａ）は広角端での無限遠合焦状態での収差図であり、（Ｂ）は望遠端での無限遠合焦状態での収差図である。
【００２０】
球面収差図においてＦＮｏはＦナンバーであり、球面収差図にはｄ線（波長５８７．６ｎｍ）とｇ線（波長４３５．８ｎｍ）に対する球面収差量をそれぞれ実線と二点鎖線で示す。非点収差図においてＳはサジタル像面における非点収差量（実線）、Ｍはメリディオナル像面における非点収差量（破線）を示す。歪曲収差図にはｄ線に対する歪曲収差量を示す。色収差図ではｇ線における色収差量を示す。ωは半画角（°）である。
【００２１】
次に、各実施例のズームレンズＬ０における特徴的な構成について述べる。
【００２２】
各実施例のズームレンズＬ０は、物体側から像側に順に配置された、正の屈折力の第１レンズ群Ｌ１、負の屈折力の第２レンズ群Ｌ２、正の屈折力の第３レンズ群Ｌ３、複数のレンズ群を含む中間群ＬＭ、負の屈折力の最終レンズ群ＬＲで構成されている。
【００２３】
中間群ＬＭは少なくとも負の屈折力の負レンズ群ＬＮを含んで構成される。また、広角端から望遠端へのズーミングに際して負レンズ群ＬＮと最終レンズ群ＬＲは共に物体側へ移動する。
【００２４】
実施例１、３において中間群ＬＭは第４レンズ群Ｌ４から第６レンズ群Ｌ６で構成され、第６レンズ群Ｌ６が負レンズ群ＬＮに相当する。また、第７レンズ群Ｌ７が最終レンズ群ＬＲに相当する。
【００２５】
実施例２において中間群ＬＭは第４レンズ群Ｌ４から第７レンズ群Ｌ７で構成され、第６レンズ群Ｌ６が負レンズ群ＬＮに相当する。また、第８レンズ群Ｌ８が最終レンズ群ＬＲに相当する。
【００２６】
実施例４において中間群ＬＭは第４レンズ群Ｌ４、第５レンズ群Ｌ５で構成され、第４レンズ群Ｌ４が負レンズ群ＬＮに相当する。また、第６レンズ群Ｌ６が最終レンズ群ＬＲに相当する。
【００２７】
実施例５において中間群ＬＭは第４レンズ群Ｌ４、第５レンズ群Ｌ５で構成され、第５レンズ群Ｌ５が負レンズ群ＬＮに相当する。また、第６レンズ群Ｌ６が最終レンズ群ＬＲに相当する。
【００２８】
実施例６において中間群ＬＭは第４レンズ群Ｌ４から第６レンズ群Ｌ６で構成され、第５レンズ群Ｌ５が負レンズ群ＬＮに相当する。また、第７レンズ群Ｌ７が最終レンズ群ＬＲに相当する。
【００２９】
このように、各実施例のズームレンズＬ０はポジティブリード型のズームレンズであって、第３レンズ群Ｌ３より像側に、負レンズ群ＬＮと最終レンズ群ＬＲの少なくとも２つの負の屈折力のレンズ群を配置している。これにより、テレフォト型のパワー配置としている。さらに、広角端から望遠端へのズーミングに際して負レンズ群ＬＮと最終レンズ群ＬＲを共に物体側に移動させ、これらのレンズ群に変倍作用を持たせている。これらにより、各実施例のズームレンズＬ０では変倍比の確保と小型化を両立させている。
【００３０】
一方、像面側に複数の負の屈折力を有するレンズ群を配置すると軸上光線が像面付近で発散されるため、絞り近傍を通る軸上光線の高さが高くなり、球面収差や軸上色収差の補正が問題となる。また、負の屈折力のレンズ群が多くなるとペッツバール和がマイナスの値に大きくなる傾向があり、像面湾曲の補正が問題となる。
【００３１】
そのため、各実施例のズームレンズＬ０では、小型化と高性能化の両立のために、レンズ群のパワーおよび移動量と開口絞りＳＰの位置を適切なものとしている。具体的には、各実施例のズームレンズＬ０は以下の条件式（１）から（３）を全て満足するよう構成されている。
０．１０＜ｆＬＮ／ｆ２＜１．２０  （１）
０．２５＜ＭＬ３／ＭＬＮ＜０．７０  （２）
０．４５＜ＤＳＰｗ／ＴＤｗ＜０．９５  （３）
【００３２】
ここで、ｆＬＮは負レンズ群ＬＮの焦点距離である。ｆ２は第２レンズ群Ｌ２の焦点距離である。ＭＬ３は無限遠合焦時における広角端から望遠端までのズーミングに伴う第３レンズ群Ｌ３の移動量である。ＭＬＮは無限遠合焦時における広角端から望遠端までのズーミングに伴う負レンズ群ＬＮの移動量である。ＤＳＰｗは広角端における開口絞りＳＰからズームレンズＬ０の最も像側のレンズ面までの光軸上での距離である。ＴＤｗは広角端におけるズームレンズＬ０の最も物体側のレンズ面からズームレンズＬ０の最も像側のレンズ面までの光軸上での距離である。
【００３３】
なお、ＤＳＰｗやＴＤｗの値に関し、ズームレンズＬ０の物体側や像側に実質的に屈折力を有しないカバーガラス等が配置されている場合、それはレンズ面として数えないものとする。
【００３４】
条件式（１）は負レンズ群ＬＮの焦点距離ｆＬＮと第２レンズ群Ｌ２の焦点距離ｆ２に関する条件を規定するものである。これらのレンズ群の焦点距離の比を適切に設定することで小型化と高画質化を両立することができる。条件式（１）の下限値を下回ると、負レンズ群ＬＮの焦点距離が第２レンズ群Ｌ２の焦点距離に対して小さくなりすぎ、ペッツバール和がマイナスの値に大きくなり、像面湾曲の補正が困難となるため好ましくない。条件式（１）の上限値を上回ると、負レンズ群ＬＮの焦点距離が第２レンズ群Ｌ２の焦点距離に対して大きくなりすぎ、テレフォト型のパワー配置を取ることが困難となる結果、ズームレンズＬ０の小型化が困難となるため好ましくない。
【００３５】
条件式（２）は、広角端から望遠端へのズーミングにおける第３レンズ群Ｌ３の移動量ＭＬ３と負レンズ群ＬＮの移動量ＭＬＮに関する条件を規定するものである。これらの移動量の比を適切に設定することでズームレンズＬ０の小型化が容易となる。負レンズ群ＬＮの移動量を第３レンズ群Ｌ３の移動量より大きくすることで、広角端における第２レンズ群Ｌ２と第３レンズ群Ｌ３の間隔を小さくできるため、小型化が容易となる。条件式（２）の下限値を下回ると、負レンズ群ＬＮの移動量が第３レンズ群Ｌ３の移動量に対して大きくなりすぎ、ズームレンズＬ０の小型化が困難となるため好ましくない。条件式（２）の上限値を上回ると、負レンズ群ＬＮの移動量が第３レンズ群Ｌ３の移動量に対して小さくなりすぎ、ズームレンズＬ０の小型化が困難となるため好ましくない。
【００３６】
条件式（３）は広角端における開口絞りＳＰから最も像側のレンズ面までの光軸上での距離と最も物体側のレンズ面から最も像側のレンズ面までの光軸上での距離に関する条件を規定するものである。開口絞りＳＰを適正な位置に配置することで、ズームレンズＬ０の大口径化を図りつつ小型化することが容易となる。条件式（３）の下限値を下回ると、開口絞りＳＰが像面ＩＰ側に寄り過ぎ、物体に近い位置に配置されるレンズが大きくなる。その結果、ズームレンズＬ０の小型化が困難となるため好ましくない。条件式（３）の上限値を上回ると、開口絞りＳＰが物体側に寄り過ぎ、開口絞りＳＰを配置することが困難となるため好ましくない。
【００３７】
以上の条件を満足することにより、本願発明の効果を得ることができる。なお、中間群ＬＭの構成は、複数のレンズ群を有して成り、さらに上述した条件を満足する負レンズ群ＬＮを少なくとも１つ有していさえすれば本願発明の効果を得ることができる。すなわち、中間群ＬＭは負レンズ群ＬＮに相当するレンズ群を２つ以上含んでいても良い。
【００３８】
条件式（１）乃至（３）の数値範囲は以下の条件式（１ａ）乃至（３ａ）の範囲とすることがより好ましい。
０．３０＜ｆＬＮ／ｆ２＜１．１７  （１ａ）
０．２６＜ＭＬ３／ＭＬＮ＜０．６９  （２ａ）
０．５０＜ＤＳＰｗ／ＴＤｗ＜０．９０  （３ａ）
【００３９】
また、条件式（１）乃至（３）の数値範囲は以下の条件式（１ｂ）乃至（３ｂ）の範囲とすることがさらに好ましい。
０．５０＜ｆＬＮ／ｆ２＜１．１５  （１ｂ）
０．２６＜ＭＬ３／ＭＬＮ＜０．６８  （２ｂ）
０．５５＜ＤＳＰｗ／ＴＤｗ＜０．８０  （３ｂ）
【００４０】
次に、各実施例のズームレンズＬ０において満足されることが好ましい構成について述べる。
【００４１】
第１レンズ群Ｌ１は、広角端から望遠端へのズーミングに際して物体側へ移動することが好ましい。これにより、ズームレンズの広角端での光学全長を短縮し、ズームレンズＬ０を小型化することが可能となる。
【００４２】
また、負レンズ群ＬＮと最終レンズ群ＬＲは、共に３枚以下のレンズで構成されることが好ましい。これにより、負レンズ群ＬＮと最終レンズ群ＬＲについて十分な性能を得つつ小型できる。
【００４３】
また、中間群ＬＭより物体側に開口絞りＳＰを配置することが好ましい。これにより、ズームレンズＬ０の大口径化と、開口絞りＳＰよりも物体側に配置されるレンズ群の小型化の両立ができる。
【００４４】
また、無限遠から近距離へのフォーカシングに際して負レンズ群ＬＮを像側に移動させることが好ましい。一般に望遠端では無限遠から至近までのフォーカシングに必要な移動量が大きくなる。このため、ズーミングに際して物体側に移動する負レンズ群ＬＮを像側に移動させてフォーカシングを行うことで、特に望遠端における負レンズ群ＬＮの像側のスペースを有効活用でき、結果としてズームレンズＬ０の小型化と最至近合焦距離の短縮ができる。
【００４５】
さらに、いずれかのレンズ群全体またはその一部を、像ぶれ補正に際して光軸と垂直な成分を持つ方向に移動させても良い。特に、第２レンズ群Ｌ２を像ぶれ補正に際して移動させることで像ぶれ補正に際しての移動量を小さくすることができる。その結果、ズームレンズＬ０の小型化（特に径方向）が容易となる。またその際、像ぶれ補正のための駆動機構やレンズ群の保持機構を簡素化できるため、ズーミングに際して第２レンズ群Ｌ２は不動であることが好ましい。
【００４６】
また、負レンズ群ＬＮの物体側に隣接する位置には正の屈折力の正レンズ群ＬＰが配置されていること好ましい。正レンズ群ＬＰにより負レンズ群ＬＮのレンズ径を小さくすることができる。正レンズ群ＬＰは、実施例１〜３においては第５レンズ群Ｌ５であり、実施例４では第３レンズ群Ｌ３であり、実施例５，６では第４レンズ群Ｌ４である。このように、正レンズ群ＬＰは必ずしも中間群ＬＭ内に配置されている必要はなく、第３レンズ群Ｌ３が正レンズ群ＬＰとして機能しても良い。
【００４７】
次に、各実施例のズームレンズＬ０において満たされていることが好ましい条件について述べる。
【００４８】
各実施例のズームレンズＬ０は、以下の条件式（４）から（１２）のうち１つ以上を満足することが好ましい。
−０．３５＜ΔＤ２／ΔＤ１＜−０．０１  （４）
０．０５＜ＳＫｗ／ｆｗ＜０．５０  （５）
０．０５＜ＳＫｗ／ＳＫｔ＜０．６０  （６）
１．０＜ＬＤｗ／ｆｗ＜３．５  （７）
０．１０＜ｆＬＰ／ｆ１＜０．７０  （８）
０．０５＜ｆＬＮ／ｆＬＲ＜１．５０  （９）
０＜｜ＭＬ３／ＭＬ１｜＜０．５０  （１０）
０．１５＜（ｔβＬＮ／ｗβＬＮ）／（ｆｔ／ｆｗ）＜０．７０  （１１）
６５．００＜νｄ１Ｐａｖｅ＜９９．００  （１２）
【００４９】
ここで、ΔＤ１は、広角端と望遠端での第１レンズ群Ｌ１の最も像側のレンズ面と第２レンズ群Ｌ２の最も物体側のレンズ面との光軸上の間隔の差である。ΔＤ２は、広角端と望遠端での第２レンズ群Ｌ２の最も像側のレンズ面と第３レンズ群Ｌ３の最も物体側のレンズ面との光軸上の間隔の差である。ＳＫｗは広角端におけるズームレンズＬ０のバックフォーカスである。ｆｗは広角端におけるズームレンズＬ０の焦点距離である。ＳＫｔは望遠端におけるズームレンズＬ０のバックフォーカスである。ＬＤｗは広角端におけるズームレンズＬ０の光学全長（最も物体側のレンズ面から像面ＩＰまでの距離）である。ｆＬＰは負レンズ群ＬＮの物体側に隣接して配置された正レンズ群ＬＰの焦点距離である。ｆ１は第１レンズ群Ｌ１の焦点距離である。ｆＬＲは最終レンズ群ＬＲの焦点距離である。ＭＬ１は無限遠合焦時における広角端から望遠端までのズーミングに伴う第１レンズ群Ｌ１の移動量である。ｔβＬＮは負レンズ群ＬＮの望遠端での横倍率である。ｗβＬＮは負レンズ群ＬＮの広角端での横倍率である。νｄ１Ｐａｖｅは第１レンズ群Ｌ１に含まれる正レンズのｄ線に対するアッベ数の平均値である。
【００５０】
条件式（４）は、広角端から望遠端へのズーミングに際しての第１レンズ群Ｌ１と第２レンズ群Ｌ２の間隔変化量ΔＤ１と広角端から望遠端へのズーミングに際しての第２レンズ群Ｌ２と第３レンズ群Ｌ３の間隔変化量ΔＤ２に関する条件を規定している。第１レンズ群Ｌ１から第３レンズ群Ｌ３までの間に開口絞りＳＰやフレアーカット絞りＦＰが配置されている場合、ΔＤ１，ΔＤ２の算出に当たり開口絞りＳＰやフレアーカット絞りＦＰは考慮しない。条件式（４）の下限値を下回るほどにΔＤ２が大きくなりすぎると、特に広角端において十分な小型化が困難となるため好ましくない。条件式（４）の上限値を上回るほどにΔＤ２が小さくなると、第２レンズ群Ｌ２と第３レンズ群Ｌ３の変倍分担が小さくなり、十分な高変倍比化を達成することが困難となるため好ましくない。
【００５１】
条件式（５）は広角端におけるバックフォーカスＳＫｗと広角端における全系の焦点距離ｆｗに関する条件を規定している。条件式（５）の下限値を下回ると、バックフォーカスが短くなり撮像素子近傍にローパスフィルターなどの光学素子を配置することが困難となるため好ましくない。条件式（５）の上限値を上回ると、バックフォーカス長くなり広角端の光学全長を十分短縮できなくなるため好ましくない。
【００５２】
条件式（６）は望遠端におけるバックフォーカスＳＫｔと広角端におけるバックフォーカスＳＫｗに関する条件を規定している。条件式（６）の下限値を下回ると、広角端においてバックフォーカスが短くなりすぎ、撮像素子近傍にローパスフィルターなどの光学素子を配置することが困難となるため好ましくない。条件式（６）の上限値を上回ると、広角端においてバックフォーカスが長くなりすぎ、広角端の光学全長を十分に短縮できなくなるため好ましくない。
【００５３】
条件式（７）は広角端における光学全長ＬＤｗと広角端における全系の広角端での焦点距離ｆｗに関する条件を規定している。条件式（７）の下限値を下回ると、広角端における全系の焦点距離が長くなりすぎ、十分な高変倍比化が困難となるため好ましくない。条件式（７）の上限値を上回ると、広角端の光学全長を十分に短縮できなくなるため好ましくない。
【００５４】
条件式（８）は正レンズ群ＬＰの焦点距離ｆＬＰと第１レンズ群Ｌ１の焦点距離ｆ１に関する条件を規定している。条件式（８）の下限値を下回ると、正レンズ群ＬＰの焦点距離が短くなりすぎ特に望遠端における球面収差の十分な補正が困難となるため好ましくない。条件式（８）の上限値を上回ると、正レンズ群ＬＰの焦点距離が長くなりすぎる結果正レンズ群ＬＰの変倍分担が小さくなり、十分な高変倍比化を達成することが困難となるため好ましくない。
【００５５】
条件式（９）は負レンズ群ＬＮの焦点距離ｆＬＮと最終レンズ群ＬＲの焦点距離ｆＬＲに関する条件を規定している。条件式（９）の下限値を下回ると、最終レンズ群ＬＲの焦点距離が長くなり、テレフォトのパワー配置にすることが難しくなる結果ズームレンズＬ０の十分な小型化が困難となる。条件式（９）の上限値を上回ると、最終レンズ群ＬＲの焦点距離が短くなり、パワー配置の非対称性が強まり、特に望遠端におけるコマ収差や歪曲収差の十分な補正が困難となる。
【００５６】
条件式（１０）は第１レンズ群Ｌ１の広角端から望遠端へのズーミングに際する移動量Ｍ１と第３レンズ群Ｌ３の広角端から望遠端へのズーミングに際する移動量ＭＬ３に関する条件を規定している。条件式（１０）の下限値を下回ると、第１レンズ群Ｌ１の広角端から望遠端へのズーミングに際する移動量が長くなり、特に望遠端において十分な小型化が困難となるため好ましくない。条件式（１０）の上限値を上回ると、第３レンズ群Ｌ３の広角端から望遠端へのズーミングに際しての移動量が長くなり、十分な小型化が困難となるため好ましくない。
【００５７】
条件式（１１）は負レンズ群ＬＮの望遠端での横倍率ｔβＬＮと負レンズ群ＬＮの広角端での横倍率ｗβＬＮと全系の望遠端での焦点距離ｆｔと全系の広角端での焦点距離ｆｗに関する条件を規定している。条件式（１１）の下限値を下回ると、負レンズ群ＬＮの変倍分担が小さくなる結果第２レンズ群Ｌ２と第３レンズ群Ｌ３の変倍分担が大きくなり、広角端において第２レンズ群Ｌ２と第３レンズ群Ｌ３の間隔を大きくする必要がある。この場合、ズームレンズＬ０を十分小型にすることが困難になるため好ましくない。条件式（１１）の上限値を上回ると、十分な高変倍比化が困難となるため好ましくない。
【００５８】
条件式（１２）は、第１レンズ群Ｌ１群に含まれる正レンズのｄ線に対するアッベ数の平均値νｄ１Ｐａｖｅに関する条件である。νｄ１Ｐａｖｅが条件式（１２）の下限値を下回ると、望遠端における軸上色収差および倍率色収差の十分な補正が困難となるため好ましくない。νｄＬ１Ｐａｖｅが条件式（１２）の上限値を上回ると、第１レンズ群Ｌ１内の正レンズの分散が小さくなりすぎて広角端での倍率色収差を十分補正することが困難となるため好ましくない。なお、第１レンズ群Ｌ１内に含まれる正レンズの枚数は１枚であっても良いが、２枚以上であることが好ましい。
【００５９】
なお、条件式（４）乃至（１２）の数値範囲は、以下の条件式（４ａ）乃至（１２ａ）
の範囲とすることがより好ましい。
−０．３３＜ΔＤ２／ΔＤ１＜−０．０５  （４ａ）
０．０７＜ＳＫｗ／ｆｗ＜０．４０  （５ａ）
０．１０＜ＳＫｗ／ＳＫｔ＜０．５５  （６ａ）
１．２＜ＬＤｗ／ｆｗ＜３．０  （７ａ）
０．１５＜ｆＬＰ／ｆ１＜０．６０  （８ａ）
０．１０＜ｆＬＮ／ｆＬＲ＜１．４０  （９ａ）
０．０５＜｜ＭＬ３／ＭＬ１｜＜０．４０  （１０ａ）
０．１７＜（ｔβＬＮ／ｗβＬＮ）／（ｆｔ／ｆｗ）＜０．６０  （１１ａ）
７０．００＜νｄ１Ｐａｖｅ＜９８．００  （１２ａ）
【００６０】
また、条件式（４）乃至（１２）の数値範囲は、以下の条件式（４ｂ）乃至（１２ｂ）
の範囲とすることがさらに好ましい。
−０．３１＜ΔＤ２／ΔＤ１＜−０．１０  （４ｂ）
０．０９＜ＳＫｗ／ｆｗ＜０．３０  （５ｂ）
０．１５＜ＳＫｗ／ＳＫｔ＜０．５０  （６ｂ）
１．５＜ＬＤｗ／ｆｗ＜２．５  （７ｂ）
０．２２＜ｆＬＰ／ｆ１＜０．４５  （８ｂ）
０．１５＜ｆＬＮ／ｆＬＲ＜１．２５  （９ｂ）
０．１０＜｜ＭＬ３／ＭＬ１｜＜０．３５  （１０ｂ）
０．１８＜（ｔβＬＮ／ｗβＬＮ）／（ｆｔ／ｆｗ）＜０．５０  （１１ｂ）
７５．００＜νｄ１Ｐａｖｅ＜９５．００  （１２ｂ）
【００６１】
以下に、実施例１乃至６にそれぞれ対応する数値実施例１乃至６を示す。
【００６２】
各数値実施例の面データにおいて、ｒは各光学面の曲率半径、ｄ（ｍｍ）は第ｍ面と第（ｍ＋１）面との間の軸上間隔（光軸上の距離）を表わしている。ただし、ｍは光入射側から数えた面の番号である。また、ｎｄは各光学部材のｄ線に対する屈折率、νｄは光学部材のアッベ数を表わしている。なお、ある材料のアッベ数νｄは、フラウンホーファ線のｄ線（５８７．６ｎｍ）、Ｆ線（４８６．１ｎｍ）、Ｃ線（６５６．３ｎｍ）、ｇ線（波長４３５．８ｎｍ）における屈折率をＮｄ、ＮＦ、ＮＣ、Ｎｇとするとき、
νｄ＝（Ｎｄ−１）／（ＮＦ−ＮＣ）
で表される。
【００６３】
なお、各数値実施例において、焦点距離（ｍｍ）、Ｆナンバー、半画角（°）は全て各実施例のズームレンズが無限遠物体に焦点を合わせた時の値である。バックフォーカスＳＫは最終レンズ面から像面までの空気換算距離である。レンズ全長は第１レンズ面から最終レンズ面までの光軸上の距離にバックフォーカスＳＫを加えた値である。
【００６４】
また、光学面が非球面の場合は、面番号の右側に、＊の符号を付している。非球面形状は、ｘを光軸方向の面頂点からの変位量、ｈを光軸と垂直な方向の光軸からの高さ、Ｒを近軸曲率半径、ｋを円錐定数、Ａ４、Ａ６、Ａ８、Ａ１０、Ａ１２を各次数の非球面係数とするとき、
ｘ＝（ｈ２／Ｒ）／［１＋｛１−（１＋ｋ）（ｈ／Ｒ）２｝１／２＋Ａ４×ｈ４＋Ａ６×ｈ６＋Ａ８×ｈ８＋Ａ１０×ｈ１０＋Ａ１２×ｈ１２
で表している。なお、各非球面係数における「ｅ±ＸＸ」は「×１０±ＸＸ」を意味している。
【００６５】
［数値実施例１］
単位 mm
面データ
面番号       r        d      nd        νd
1         90.644    5.00   1.48749    70.2
2        729.457    0.15
3        118.536    1.72   1.61340    44.3
4         44.444    7.63   1.49700    81.5
5        701.885  (可変)
6          ∞       1.55
7         61.503    1.45   1.51633    64.1
8         30.444    4.90
9        -46.693    1.45   1.54072    47.2
10         42.460    2.40   2.00069    25.5
11        129.562  (可変)
12(絞り)    ∞       0.27
13         30.808    5.46   1.49700    81.5
14       -114.560  (可変)
15        -34.891    0.76   1.76385    48.5
16         21.946    5.06   1.80610    40.7
17       -157.249  (可変)
18        215.866    0.86   2.05090    26.9
19         32.638    6.46   1.49700    81.5
20        -41.283    0.15
21         40.548    4.63   1.83481    42.7
22       -194.106  (可変)
23       -110.386    0.90   1.83481    42.7
24         32.543    3.04   1.72825    28.5
25         77.918  (可変)
26        -27.078    1.55   1.49700    81.5
27        -77.278    0.15
28        133.694    2.87   1.85478    24.8
29       -465.663  (可変)
像面        ∞
各種データ
ズーム比      2.68
広角     中間     望遠
焦点距離      72.27   135.02   193.89
Fナンバー      4.08     4.08     4.12
半画角（°）  16.67     9.10     6.37
像高          21.64    21.64    21.64
レンズ全長   137.50   175.84   193.12
SK            14.44    24.23    29.66
d 5            1.04    39.38    56.66
d11           14.15     7.90     3.56
d14            5.42     9.82    13.52
d17            9.21     4.80     1.11
d22           18.91     9.71     2.24
d25           15.94    21.59    27.98
d29           14.44    24.23    29.66
ズームレンズ群データ
群  始面    焦点距離
1    1     151.61
2    6     -58.12
3   12      49.47
4   15     -69.02
5   18      37.79
6   23     -49.00
7   26    -295.37
【００６６】
［数値実施例２］
単位 mm
面データ
面番号       r        d      nd         νd
1        119.503    7.80   1.49700    81.5
2       1543.975    0.20
3        134.804    2.70   1.61340    44.3
4         64.251   10.35   1.43875    94.7
5        530.638    1.50
6          ∞     (可変)
7        645.729    1.50   1.69680    55.5
8         59.316    4.24
9        -57.506    1.50   1.49700    81.5
10         72.624    3.00   1.76182    26.5
11        666.468  (可変)
12         51.663    6.55   1.49700    81.5
13        -93.175    0.20
14         55.810    5.68   1.59270    35.3
15        -76.197    1.80   1.95375    32.3
16         94.950    5.00
17(絞り)    ∞     (可変)
18        -38.041    1.10   1.49700    81.5
19       -184.227  (可変)
20       -306.417    4.03   1.68893    31.1
21        -38.365    0.20
22        119.586    4.87   1.51823    58.9
23        -34.325    1.30   2.05090    26.9
24       -185.450    0.20
25         46.171    3.45   1.49700    81.5
26          ∞     (可変)
27        117.951    2.91   1.64769    33.8
28        -80.676    1.20   1.77250    49.6
29         38.148  (可変)
30         56.252    5.89   1.48749    70.2
31        -72.765  (可変)
32        -86.407    1.40   1.59282    68.6
33         46.956    4.26
34        -79.513    1.40   1.49700    81.5
35         52.671    4.85   1.72047    34.7
36       -431.246  (可変)
像面        ∞
各種データ
ズーム比      4.82
広角     中間     望遠
焦点距離     101.59   200.00   490.00
Fナンバー      4.60     5.09     6.80
半画角（°）  12.02     6.17     2.53
像高          21.64    21.64    21.64
レンズ全長   222.29   279.43   312.29
SK            21.06    29.20    64.12
d 6            6.27    63.40    96.27
d11           28.49    23.08     1.30
d17           13.65    20.89    26.39
d19           14.76     7.52     2.02
d26           15.47     8.53     2.21
d29           14.92    21.85    28.18
d31           18.60    15.86     2.73
d36           21.06    29.20    64.12
ズームレンズ群データ
群  始面    焦点距離
1    1     203.68
2    7     -58.65
3   12      81.58
4   18     -96.70
5   20      47.80
6   27     -62.34
7   30      66.07
8   32     -50.81
【００６７】
［数値実施例３］
単位 mm
面データ
面番号       r        d      nd         νd
1         99.618    7.70   1.49700    81.5
2        581.439    0.20
3        107.681    2.40   1.61340    44.3
4         51.460   12.70   1.43875    94.7
5          ∞     (可変)
6          ∞       3.67
7       -617.950    1.45   1.59282    68.6
8         66.515    3.79 
9        -81.698    1.30   1.76385    48.5
10         42.750    4.40   1.85478    24.8
11        285.171  (可変)
12(絞り)    ∞       0.50
13*        52.335    7.05   1.49700    81.5
14        -87.607  (可変)
15        -34.350    1.20   1.59270    35.3
16         51.821    5.00   1.72825    28.5
17        -93.944  (可変)
18        126.864    1.35   2.05090    26.9
19         45.374    6.25   1.49700    81.5
20        -64.472    0.15
21        114.577    5.80   1.49700    81.5
22        -44.904    1.35   2.05090    26.9
23        -77.708    0.15
24         61.735    4.45   1.90043    37.4
25       -412.192  (可変)
26        159.922    1.20   1.61800    63.4
27         27.965  (可変)
28       -113.431    3.20   1.85478    24.8
29        -46.333    6.54
30*       -23.301    1.90   1.58313    59.4
31        -70.381  (可変)
像面        ∞
非球面データ
第13面
K = 0.00000e+000  A 4=-1.09244e-006  A 6= 1.04634e-009  A 8= 2.02132e-013
第30面
K = 0.00000e+000  A 4= 1.09140e-005  A 6= 1.43304e-008  A 8=-2.54590e-011  A10= 1.38882e-013  A12=-1.16760e-016
各種データ
ズーム比      2.69
広角     中間     望遠
焦点距離      72.13   100.00   194.06
Fナンバー      2.89     2.89     2.91
半画角（°）  16.70    12.21     6.36
像高          21.64    21.64    21.64
レンズ全長   161.59   187.06   220.03
SK            15.86    20.68    31.81
d 5            1.50    26.97    59.94
d11           10.41     9.24     2.90
d14            9.57    12.46    18.11
d17            9.69     6.80     1.15
d25           13.80    10.49     1.21
d27           17.06    16.73    21.22
d31           15.86    20.68    31.81
ズームレンズ群データ
群  始面    焦点距離
1    1     155.12
2    6     -48.48
3   12      67.04
4   15    -155.65
5   18      38.75
6   26     -55.03
7   28    -224.14
【００６８】
［数値実施例４］
単位 mm
面データ
面番号       r        d      nd         νd
1         50.864    4.08   1.49700    81.5
2        307.519    0.15
3         53.500    1.50   1.88300    40.8
4         31.167    5.25   1.49700    81.5
5        180.861  (可変)
6       -246.352    0.80   1.76385    48.5
7         12.863    2.58   1.85478    24.8
8         53.530    0.61
9       -132.104    0.70   1.76385    48.5
10         44.839  (可変)
11(絞り)    ∞       0.10
12         61.385    1.71   1.77250    49.6
13        -71.862    0.15
14         28.076    2.36   1.49700    81.5
15        -42.418    0.80   2.05090    26.9
16        121.058    7.30
17        240.613    0.70   2.05090    26.9
18         21.375    2.50   1.51742    52.4
19        -45.645    0.10
20         25.049    2.05   1.83400    37.2
21       -151.724  (可変)
22        129.389    1.21   1.85896    22.7
23        -73.555    0.70   1.72916    54.7
24         15.751  (可変)
25        232.809    2.91   1.69680    55.5
26        -26.286  (可変)
27*       -34.927    1.29   1.53110    55.9
28        -34.250    0.62
29        -23.969    1.00   1.61997    63.9
30         90.458  (可変)
像面        ∞
非球面データ
第27面
K = 0.00000e+000  A 4= 1.35565e-005  A 6= 5.97629e-008  A 8=-1.22936e-009  A10= 1.83400e-011  A12=-8.70844e-014
各種データ
ズーム比      4.24
広角     中間     望遠
焦点距離      56.90   130.00   241.30
Fナンバー      4.68     5.88     6.55
半画角（°）  13.50     6.00     3.24
像高          13.66    13.66    13.66
レンズ全長   102.01   140.24   153.08
SK            13.47    21.19    39.32
d 5            1.39    39.62    52.46
d10           11.64     8.48     1.51
d21            8.00     4.17     1.00
d24           12.84    17.94    16.63
d26           13.50     7.68     1.00
d30           13.47    21.19    39.32
ズームレンズ群データ
群  始面    焦点距離
1    1     100.57
2    6     -28.63
3   11      23.71
4   22     -26.64
5   25      34.05
6   27     -30.55
【００６９】
［数値実施例５］
単位 mm
面データ
面番号       r        d      nd         νd
1        136.654    4.00   1.49700    81.5
2       -703.912    0.10
3         86.100    1.90   1.90366    31.3
4         60.976    5.18   1.49700    81.5
5        215.826  (可変)
6          ∞       5.36
7       -109.580    1.15   1.80420    46.5
8         26.174    2.38   2.00069    25.5
9         58.357  (可変)
10(絞り)    ∞       0.27
11         42.804    4.90   1.49700    81.5
12        -25.433    0.49
13        -25.227    1.00   1.83481    42.7
14        -53.458  (可変)
15       -187.240    0.95   1.96300    24.1
16         61.641    0.27
17         94.276    3.65   1.54072    47.2
18        -39.393    0.15
19         54.961    2.10   1.95375    32.3
20        287.680  (可変)
21       -507.302    2.77   1.85896    22.7
22        -45.863    1.20   1.72916    54.7
23         35.643  (可変)
24        -41.056    1.00   2.00100    29.1
25        -55.222  (可変)
像面        ∞
各種データ
ズーム比      3.75
広角     中間     望遠
焦点距離     103.39   196.91   387.69
Fナンバー      5.77     7.10     8.24
半画角（°）  11.82     6.27     3.19
像高          21.64    21.64    21.64
レンズ全長   165.42   201.96   235.42
SK            13.85    33.27    57.50
d 5           12.08    48.63    82.08
d 9           22.83    17.97     2.81
d14           35.39    20.84    11.77
d20           26.08    14.86     1.71
d23           16.38    27.60    40.74
d25           13.85    33.27    57.50
ズームレンズ群データ
群  始面    焦点距離
1    1     165.52
2    6     -58.75
3   10      72.11
4   15      71.34
5   21     -51.68
6   24    -165.74
【００７０】
［数値実施例６］
単位 mm
面データ
面番号       r        d      nd         νd
1         86.618    4.72   1.43875    94.7
2       1260.642    0.10
3         74.128    1.70   1.88300    40.8
4         50.653    6.14   1.43875    94.7
5        322.719  (可変)
6          ∞       3.48
7       -149.961    1.15   1.72916    54.7
8         23.539    2.61   1.85883    30.0
9         51.195  (可変)
10(絞り)    ∞       0.27
11         45.951    3.80   1.49700    81.5
12        -41.869    5.61
13        -30.486    0.80   1.75500    52.3
14       -103.796  (可変)
15       1385.106    0.80   1.98612    16.5
16         71.115    0.32
17        103.260    3.74   1.51742    52.2
18        -37.827    0.15
19         48.317    2.40   1.67270    32.1
20        975.142  (可変)
21        198.064    1.00   1.95375    32.3
22         23.309    2.35   1.98612    16.5
23         36.256  (可変)
24       -139.520    2.24   1.67270    32.1
25        -55.923  (可変)
26        -47.418    1.00   1.49700    81.5
27        572.236  (可変)
像面        ∞
各種データ
ズーム比      3.88
広角     中間     望遠
焦点距離     100.04   198.04   387.80
Fナンバー      5.77     7.10     8.24
半画角（°）  12.20     6.23     3.19
像高          21.64    21.64    21.64
レンズ全長   159.40   202.97   229.40
SK            10.02    28.12    62.23
d 5            1.50    45.06    71.50
d 9           17.91    19.30     2.97
d14           27.39    16.67    12.79
d20           25.74    13.16     0.62
d23            8.32    20.90    33.44
d25           24.16    15.38     1.48
d27           10.02    28.12    62.23
ズームレンズ群データ
群  始面    焦点距離
1    1     149.91
2    6     -61.92
3   10     132.62
4   15      51.43
5   21     -48.24
6   24     137.26
7   26     -88.06
【００７１】
各数値実施例における種々の値を、以下の表１にまとめて示す。
【００７２】
【表１】
0006977007.tif 000002
【００７３】
［撮像装置］
次に、本発明のズームレンズを撮像光学系として用いたデジタルスチルカメラ（撮像装置）１０の実施例について、図１３を用いて説明する。図１３において、１３はカメラ本体、１１は実施例１乃至６で説明したいずれかのズームレンズＬ０によって構成された撮影光学系である。１２はカメラ本体に内蔵され、撮影光学系１１によって形成された光学像を受光して光電変換するＣＣＤセンサやＣＭＯＳセンサ等の固体撮像素子（光電変換素子）である。カメラ本体１３はクイックターンミラーを有する所謂一眼レフカメラでも良いし、クイックターンミラーを有さない所謂ミラーレスカメラでも良い。
【００７４】
このように本発明のズームレンズをデジタルスチルカメラ等の撮像装置に適用することにより、小型でありながら高い光学性能を有する撮像装置を得ることができる。
【００７５】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【００７６】
Ｌ０  ズームレンズ
Ｌ１  第１レンズ群
Ｌ２  第２レンズ群
Ｌ３  第３レンズ群
ＬＭ  中間群
ＬＮ  負レンズ群
ＬＲ  最終レンズ群
【図１】
0006977007.tif 000003
【図２】
0006977007.tif 000004
【図３】
0006977007.tif 000005
【図４】
0006977007.tif 000006
【図５】
0006977007.tif 000007
【図６】
0006977007.tif 000008
【図７】
0006977007.tif 000009
【図８】
0006977007.tif 000010
【図９】
0006977007.tif 000011
【図１０】
0006977007.tif 000012
【図１１】
0006977007.tif 000013
【図１２】
0006977007.tif 000014
【図１３】
0006977007.tif 000015